Podtech/llm-jp-corpus-v4-ja_patent huggingface dataset:
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
生体情報を有する信号を取得する取得部と、
前記信号を周波数解析して、複数の周波数に対応する複数のスペクトル値を算出する解析部と、
生体活動を呈すると想定される周波数帯域に基づき重み付け処理を前記複数のスペクトル値に実施する重み付け部と、
前記重み付け部によって前記重み付け処理を実施した後の前期複数のスペクトル値に基づき前記複数の周波数のうちの１つの周波数を生体周波数として特定する特定部と、を含み、
前記重み付け部は、前記周波数帯域に属する第１のスペクトル値の重みを、前記複数のスペクトル値から前記第１のスペクトル値を除く第２のスペクトル値の重みよりも大きくすることを特徴とする生体情報処理装置。
【請求項２】
請求項１において、
前記特定部によって過去に特定された少なくとも１つの生体周波数を記憶する記憶部を、さらに含むことを特徴とする生体情報処理装置。
【請求項３】
請求項２において、
前記記憶部は、少なくとも２つの生体周波数を記憶し、
前記重み付け部は、前記記憶部に記憶される前記少なくとも２つの生体周波数に基づき、前記少なくとも２つの生体周波数の変化傾向を判定することを特徴とする生体情報処理装置。
【請求項４】
請求項３において、
前記重み付け部は、前記生体周波数の変化傾向の判定結果に基づき前記周波数帯域を決定することを特徴とする生体情報処理装置。
【請求項５】
請求項４において、
前記判定結果が前記少なくとも２つの生体周波数の増加傾向を示す場合、前記重み付け部は、前記周波数帯域として、前記少なくとも２つの生体周波数のうちの最も新しい生体周波数とともに、前記複数の周波数のうちの前記最も新しい生体周波数よりも高い少なくとも１つの高調波側の周波数を設定し、
前記判定結果が前記少なくとも２つの生体周波数の減少傾向を示す場合、前記重み付け部は、前記周波数帯域として、前記少なくとも２つの生体周波数のうちの最も新しい生体周波数とともに、前記複数の周波数のうちの前記最も新しい生体周波数よりも低い少なくとも１つの低周波側の周波数を設定することを特徴とする生体情報処理装置。
【請求項６】
請求項３において、
前記重み付け部は、前記生体周波数の変化傾向の判定結果に基づき前記第１のスペクトル値の重みを決定することを特徴とする生体情報処理装置。
【請求項７】
請求項２において、
前記記憶部に記憶される前記少なくとも１つの生体周波数のうちの最も新しい生体周波数が、体動を呈すると想定される周波数から所与の周波数帯域だけ離れていない場合、前記重み付け部は、前記重み付け処理の実施を中止し、且つ前記特定部は、前記解析部によって算出された前記複数のスペクトル値に基づき前記生体周波数を特定することを特徴とする生体情報処理装置。
【請求項８】
請求項１乃至７において、
前記特定部によって特定された前記生体周波数を脈拍数または心拍数に換算する換算部を、さらに含むことを特徴とする生体情報処理装置。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
患者眼を観察するための観察光学系を備える双眼顕微鏡と、治療レーザ光源から出射された治療レーザ光を導光する光ファイバと、治療レーザ光を患者眼に照射する照射光学系であって，前記光ファイバの出射端面を所定の径のスポットとするズーム光学系と，治療レーザ光のスポットを患者眼の組織上で２次元的に走査する走査部を含む照射光学系と、該照射光学系から出射される治療レーザ光を偏向する反射ミラーであって，前記双眼顕微鏡の左右眼の観察光路の中央に配置される反射ミラーと、前記走査部を制御し，複数のスポットが所定のパターンで配列された走査パターンに基づいて治療レーザ光のスポットを走査して照射する制御手段と、を備える眼科用レーザ治療装置において、
前記ズーム光学系は、
前記光ファイバから出射される治療レーザ光の光束径を変更するために光軸方向に移動するズームレンズ群であり、
前記照射光学系は、
前記ズームレンズ群を通過した治療レーザ光の光束径を制限する開口板であって，前記反射ミラーの反射面の大きさに対応し患者眼の組織上に照射される治療レーザ光のスポットサイズが所定値以下の際に治療レーザ光の光束径を制限する開口有する開口板と、
前記開口板を通過した治療レーザ光を患者眼の組織上に結像させる結像レンズ群と、
を備え、
前記走査部は前記開口板の下流かつ前記結像レンズ群の上流に配置され、前記開口板を通過した治療レーザ光を偏向し治療レーザ光のスポットを患者眼の組織上で走査する
ことを特徴とする眼科用レーザ治療装置。
【請求項２】
請求項１の眼科用レーザ治療装置は、
前記ズーム光学系にて設定したスポットのサイズを入力するスポットサイズ入力手段を備え、
前記制御手段は，
前記スポットサイズ入力手段で入力されたスポットサイズが前記所定値である場合は、前記走査部による治療レーザ光のスポットの走査を禁止し、
前記スポットサイズ入力手段で入力されたスポットサイズが前記所定値を越える場合は、前記走査部を制御し治療レーザ光のスポットを走査する
ことを特徴とする眼科用レーザ治療装置。
【請求項３】
請求項２の眼科用レーザ治療装置は、
走査パターンのスポット間隔を設定する間隔設定手段と、
スポットの走査範囲を設定する走査範囲設定手段であって，前記スポットサイズ入力手段で入力されたスポットサイズと，前記間隔設定手段で設定されたスポット間隔と，に基づいて前記走査部によるスポットの走査可能な範囲を設定する走査範囲設定手段と、
を備える、ことを特徴とする眼科用レーザ治療装置。
【請求項４】
請求項１〜３の何れかの眼科用レーザ治療装置において、
前記開口板は、前記ズームレンズ群の最下流の光学素子の後面側に固定されることを特徴とする眼科用レーザ治療装置。
【手続補正２】
【補正対象書類名】明細書
【補正対象項目名】０００８
【補正方法】変更
【補正の内容】
【０００８】
上記課題を解決するために、本発明は以下のような構成を備えることを特徴とする。
患者眼を観察するための観察光学系を備える双眼顕微鏡と、治療レーザ光源から出射された治療レーザ光を導光する光ファイバと、治療レーザ光を患者眼に照射する照射光学系であって，前記光ファイバの出射端面を所定の径のスポットとするズーム光学系と，治療レーザ光のスポットを患者眼の組織上で２次元的に走査する走査部を含む照射光学系と、該照射光学系から出射される治療レーザ光を偏向する反射ミラーであって，前記双眼顕微鏡の左右眼の観察光路の中央に配置される反射ミラーと、前記走査部を制御し，複数のスポットが所定のパターンで配列された走査パターンに基づいて治療レーザ光のスポットを走査して照射する制御手段と、を備える眼科用レーザ治療装置において、前記ズーム光学系は、前記光ファイバから出射される治療レーザ光の光束径を変更するために光軸方向に移動するズームレンズ群であり、前記照射光学系は、前記ズームレンズ群を通過した治療レーザ光の光束径を制限する開口板であって，前記反射ミラーの反射面の大きさに対応し患者眼の組織上に照射される治療レーザ光のスポットサイズが所定値以下の際に治療レーザ光の光束径を制限する開口有する開口板と、前記開口板を通過した治療レーザ光を患者眼の組織上に結像させる結像レンズ群と、を備え、前記走査部は前記開口板の下流かつ前記結像レンズ群の上流に配置され、前記開口板を通過した治療レーザ光を偏向し治療レーザ光のスポットを患者眼の組織上で走査することを特徴とする。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
被検者眼の画像を取得する撮像ユニットと、アライメントのために前記撮像ユニットを移動させる移動機構部と、前記画像に基づいて前記移動機構部の駆動を制御する制御ユニットと、前記画像を解析して被検者眼の眼特性の解析データを取得する解析ユニットと、前記画像及び前記解析データの少なくとも何れかを表示するモニタと、を有し、被検者眼の眼特性の解析を行う眼科装置において、
前記制御ユニット及び前記解析ユニットは、前記制御ユニットが前記画像を前記解析ユニットに送信するための通信手段を備え、
前記制御ユニットは、前記画像を前記モニタに送る第１画像生成ユニットを備え、
前記解析ユニットは、前記第１画像生成ユニットとは独立し，前記解析データを含む画像を前記モニタに送る第２画像生成ユニットを備え、
装置は、さらに、前記第１画像生成ユニットからの画像と前記第２画像生成ユニットからの画像との何れかを選択して前記モニタに表示させる表示選択ユニットを有する、
ことを特徴とする眼科装置。
【請求項２】
請求項１の眼科装置において、
前記制御ユニットは、前記測定部による測定結果を取得し、
前記解析ユニットは、前記測定結果に基づいて被検者眼の眼特性の測定データを取得し、
前記第２画像生成ユニットは、前記測定データを含む画像を前記モニタに送る、
ことを特徴とする眼科装置。
【請求項３】
請求項２又は３の眼科装置において、
前記解析ユニットは、ボードコンピュータであり、
前記通信手段の転送方式は、前記ボードコンピュータが予め備える通信ポートの転送方式に基づく、
ことを特徴とする眼科装置。
【請求項４】
眼科装置を制御し被検者眼の眼特性の測定又は被検者眼の画像をデータとして取得する制御ユニットと、被検者眼の画像を処理するボードコンピュータと、前記ボードコンピュータで処理された画像を表示するモニタと、を一つの筐体に備え、被検者眼の眼特性の測定又は撮像を行う眼科装置において、
前記制御ユニット及びボードコンピュータは、前記制御ユニットが前記データを前記ボードコンピュータに送信するための通信手段を備え、
前記制御ユニットは、前記データを含む画像を前記モニタに送る第１画像生成ユニットを備え、
前記ボードコンピュータは、前記第１画像生成ユニットとは独立し，前記データを含む画像を前記モニタに送る第２画像生成ユニットを備え、
装置は、前記第１画像生成ユニットからの画像と前記第２画像生成ユニットからの画像との何れかを選択して前記モニタに表示させる表示選択ユニットを有する、
ことを特徴とする眼科装置。
【手続補正２】
【補正対象書類名】明細書
【補正対象項目名】００１０
【補正方法】変更
【補正の内容】
【００１０】
上記課題を解決するために、本発明は、以下のような構成を有することを特徴とする。
（１）  被検者眼の画像を取得する撮像ユニットと、アライメントのために前記撮像ユニットを移動させる移動機構部と、前記画像に基づいて前記移動機構部の駆動を制御する制御ユニットと、前記画像を解析して被検者眼の眼特性の解析データを取得する解析ユニットと、前記画像及び前記解析データの少なくとも何れかを表示するモニタと、を有し、被検者眼の眼特性の解析を行う眼科装置において、前記制御ユニット及び前記解析ユニットは、前記制御ユニットが前記画像を前記解析ユニットに送信するための通信手段を備え、前記制御ユニットは、前記画像を前記モニタに送る第１画像生成ユニットを備え、前記解析ユニットは、前記第１画像生成ユニットとは独立し，前記解析データを含む画像を前記モニタに送る第２画像生成ユニットを備え、装置は、さらに、前記第１画像生成ユニットからの画像と前記第２画像生成ユニットからの画像との何れかを選択して前記モニタに表示させる表示選択ユニットを有する、ことを特徴とする。
（２）  眼科装置を制御し被検者眼の眼特性の測定又は被検者眼の画像をデータとして取得する制御ユニットと、被検者眼の画像を処理するボードコンピュータと、前記ボードコンピュータで処理された画像を表示するモニタと、を一つの筐体に備え、被検者眼の眼特性の測定又は撮像を行う眼科装置において、前記制御ユニット及びボードコンピュータは、前記制御ユニットが前記データを前記ボードコンピュータに送信するための通信手段を備え、前記制御ユニットは、前記データを含む画像を前記モニタに送る第１画像生成ユニットを備え、前記ボードコンピュータは、前記第１画像生成ユニットとは独立し，前記データを含む画像を前記モニタに送る第２画像生成ユニットを備え、装置は、前記第１画像生成ユニットからの画像と前記第２画像生成ユニットからの画像との何れかを選択して前記モニタに表示させる表示選択ユニットを有する、ことを特徴とする。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
治療レーザ光源からの治療レーザ光のスポットを患者眼の組織上で２次元的に走査する走査光学系を含む照射光学系と、治療レーザ光のスポットが所定の配列で並べられた所定の走査パターンを複数個記憶するメモリと、該メモリに記憶された走査パターンの中から所望の走査パターンの一つを選択する走査パターン選択手段と、を備え、選択された走査パターンに基づいて治療レーザ光を複数のスポット位置に順次照射する眼科用レーザ治療装置において、
前記走査パターン選択手段により選択された走査パターンを変更して設定する走査パターン設定手段であって、前記走査パターン選択手段により選択された走査パターンを基礎として一部のスポットの配列に変更を加える信号を入力する変更信号入力手段を有し、入力信号に基づいて走査パターンを設定する走査パターン設定手段と、
該パターン設定手段により設定された走査パターンに基づいて前記走査光学系の駆動を制御して治療レーザ光を順次スポット位置に照射する制御手段と、
を備えることを特徴とする眼科用レーザ治療装置。
【請求項２】
請求項１の眼科用レーザ治療装置において、
前記走査パターン設定手段は、前記変更信号入力手段として、選択された走査パターンの各スポットに対して一部のスポットを削除及び／又は追加するスポット位置の指定信号を入力する位置指定信号入力手段を有する、
ことを特徴とする眼科用レーザ治療装置。
【請求項３】
請求項２の眼科用レーザ治療装置は、
選択された走査パターンのスポット間隔を設定する間隔設定手段を備え、前記パターン設定手段は、スポットを追加した走査パターンに変更するときに、設定されたスポット間隔と前記位置指定信号入力手段のスポット位置の指定に基づき、選択された走査パターンのスポットの配列規則に従った位置にスポット位置を決定することを特徴とする眼科用レーザ治療装置。
【請求項４】
治療レーザ光源からの治療レーザ光のスポットを患者眼の組織上で２次元的に走査する走査光学系を含む照射光学系と、治療レーザ光のスポットが正方行列状に所定間隔で並べられた第１走査パターンを予め記憶するメモリと、該メモリに記憶された第１走査パターンに基づいて治療レーザ光を複数のスポット位置に順次照射する眼科用レーザ治療装置において、
前記メモリに記憶された第１走査パターンに対応する第１パターン像が表示された，タッチパネル機能を有する表示部の第１パターン像を形成するスポット像又は第１パターンの外側の領域に対するユーザのタッチパネル操作に応じて、操作されたスポット像が第１パターン像から削除又は追加された第２パターン像を前記表示部に表示させると共に、該第２パターン像に基づく第２走査パターンを設定する走査パターン設定手段と、
設定された第２走査パターンに基づいて前記走査光学系の駆動を制御して治療レーザ光を順次スポット位置に照射する制御手段と、
を備えることを特徴とする眼科用レーザ治療装置。
【請求項５】
請求項４の眼科用レーザ治療装置において、
前記走査パターン設定手段は、前記表示部に表示された第１パターン像を形成する複数のスポット像に対する連続したユーザのタッチパネル操作に応じて、操作された複数のスポット像が第１パターン像から削除又は追加された第２パターン像を表示させると共に、該第２パターン像に基づく第２走査パターンを設定することを特徴とする眼科用レーザ治療装置。
【請求項６】
請求項４又は５の眼科用レーザ治療装置において、
前記走査パターン設定手段は、前記表示部に表示された第１パターン像より外側の領域に対するユーザのタッチパネル操作に応じて、操作された領域に関して第１走査パターンのスポット間隔に従ったスポット像が削除又は追加された第２パターン像を前記表示部に表示させると共に、該第２パターン像に基づく第２走査パターンを設定することを特徴とする眼科用レーザ治療装置。
【請求項７】
請求項４〜６のいずれかの眼科用レーザ治療装置において、
前記走査パターン設定手段は、ユーザのタッチパネル操作に応じて、前記表示部に表示されたパターン像のスポット間隔を変更すると共に、
前記第２パターン像を前記表示部に表示させる際、変更されたスポット間隔に従って、操作された領域に関してスポット像が追加された第２パターン像を前記表示部に表示させると共に、該第２パターン像に基づく第２走査パターンを設定することを特徴とする眼科用レーザ治療装置。
【請求項８】
請求項４〜７のいずれかの眼科用レーザ治療装置において、
前記走査パターン設定手段は、前記表示部に表示されたクリアスイッチに対するユーザのタッチパネル操作に応じて、前記第１パターン像を再度表示させると共に、該第１パターン像に基づく第１走査パターンを設定することを特徴とする眼科用レーザ治療装置。
【手続補正２】
【補正対象書類名】明細書
【補正対象項目名】０００８
【補正方法】変更
【補正の内容】
【０００８】
上記課題を解決するために、本発明は以下のような構成を備えることを特徴とする。
（１）  治療レーザ光源からの治療レーザ光のスポットを患者眼の組織上で２次元的に走査する走査光学系を含む照射光学系と、治療レーザ光のスポットが所定の配列で並べられた所定の走査パターンを複数個記憶するメモリと、該メモリに記憶された走査パターンの中から所望の走査パターンの一つを選択する走査パターン選択手段と、を備え、選択された走査パターンに基づいて治療レーザ光を複数のスポット位置に順次照射する眼科用レーザ治療装置において、前記走査パターン選択手段により選択された走査パターンを変更して設定する走査パターン設定手段であって、前記走査パターン選択手段により選択された走査パターンを基礎として一部のスポットの配列に変更を加える信号を入力する変更信号入力手段を有し、入力信号に基づいて走査パターンを設定する走査パターン設定手段と、該パターン設定手段により設定された走査パターンに基づいて前記走査光学系の駆動を制御して治療レーザ光を順次スポット位置に照射する制御手段と、を備えることを特徴とする。
（２）  治療レーザ光源からの治療レーザ光のスポットを患者眼の組織上で２次元的に走査する走査光学系を含む照射光学系と、治療レーザ光のスポットが正方行列状に所定間隔で並べられた第１走査パターンを予め記憶するメモリと、該メモリに記憶された第１走査パターンに基づいて治療レーザ光を複数のスポット位置に順次照射する眼科用レーザ治療装置において、前記メモリに記憶された第１走査パターンに対応する第１パターン像が表示された，タッチパネル機能を有する表示部の第１パターン像を形成するスポット像又は第１パターンの外側の領域に対するユーザのタッチパネル操作に応じて、操作されたスポット像が第１パターン像から削除又は追加された第２パターン像を前記表示部に表示させると共に、該第２パターン像に基づく第２走査パターンを設定する走査パターン設定手段と、設定された第２走査パターンに基づいて前記走査光学系の駆動を制御して治療レーザ光を順次スポット位置に照射する制御手段と、を備えることを特徴とする。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
遊技パネルと、
前記遊技パネルの後方に、前記遊技パネルの中央の開口部を通して視認可能に配置された液晶表示装置と、
前記遊技パネルと前記液晶表示装置に配置され、前方及び後方が開口された箱状の裏ユニットと、
前記裏ユニットの内部に配設された可動装飾体ユニットと、
を有した遊技機であって、
前記可動装飾体ユニットは、
遊技領域の両側後方に対応した前記裏ユニットの内部の左右の両側で、正面視において前記遊技パネルの中央の開口部と重ならない位置に、それぞれ配設された左右の昇降駆動機構と、
前記左右の昇降駆動機構の間に亘って配置され、前記左右の昇降駆動機構により、収納位置と前記液晶表示装置の前方に位置する作動位置との間で昇降可能とされた昇降部材と、を有し、
前記昇降ベースは、
左右の前装飾体と、
前記左右の前装飾体の背後にそれぞれ配置され、前後方向の軸によって回動自在に軸支された左右の後可動装飾体と、
駆動モータと、
前記左右の後可動装飾体に対して、前記駆動モータの回転力を伝達する回転動力伝達機構と、
前記左右の後可動装飾体と前記昇降ベースとに亘って配置されるバネ部材と、を備え、
前記駆動モータは、前記回転動力伝達機構を介して、前記後可動装飾体を、前記前装飾体と重なる隠匿位置と、前記前装飾体と重ならない出現位置との間を駆動し、
前記バネ部材は、前記後可動部材が前記隠匿位置から前記出現位置へ回動する際には、前記後可動装飾体が上昇する回転方向に付勢力を与え、前記後可動部材が前記出現位置から前記隠匿位置に回動する際には、重力によって巻き込まれる
ことを特徴とする遊技機。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
外レール及び内レールを有し、遊技者の操作によって遊技媒体が打ち込まれる遊技領域の外周を区画形成する遊技領域区画枠部材と、
可動の装飾体本体と、
該装飾体本体を駆動する駆動装置と、
を備え、
前記装飾体本体は、前記遊技領域区画枠部材の背部と、前記遊技領域内との間を、前記駆動装置によって駆動される
ことを特徴とする遊技機。
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
遊技パネルと、
前記遊技パネルの後方に、前記遊技パネルの中央の開口部を通して視認可能に配置された液晶表示装置と、
前記遊技パネルと前記液晶表示装置に配置され、前方及び後方が開口された箱状の裏ユニットと、
前記裏ユニットの内部に配設された可動装飾体ユニットと、
を有した遊技機であって、
前記可動装飾体ユニットは、
遊技領域の両側後方に対応した前記裏ユニットの内部の左右の両側で、正面視において前記遊技パネルの中央の開口部と重ならない位置に、それぞれ配設された左右の昇降駆動機構と、
前記左右の昇降駆動機構の間に亘って配置され、前記左右の昇降駆動機構により、収納位置と前記液晶表示装置の前方に位置する作動位置との間で昇降可能とされた昇降部材と、を備えたことを特徴とする遊技機。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
患者眼内に供給する灌流液を収める灌流液容器内の灌流液残量を検知する灌流液残量検知装置は、
前記灌流液容器を保持する保持部と、
灌流液を収容している前記灌流液容器の重量であって、前記保持部に保持された前記灌流液容器の重量を経時的に検知し、検知信号を発するセンサと、
前記灌流液容器に収容されている灌流液残量に対応して設定された基準値を持ち、前記基準値と前記センサの検知信号とを比較する演算ユニットと、
該演算ユニットの演算結果に基づいて灌流液残量を報知する報知ユニットと、
を有する、
ことを特徴とする灌流液残量検知装置。
【請求項２】
請求項１の灌流液残量検知装置は、
灌流液が充填された状態の灌流液容器の重量であって、種類の異なる灌流液容器の重量にそれぞれ対応する設定値を記憶した記憶部を有し、
前記演算ユニットは，前記保持部に灌流液容器が保持されたときに前記センサの検知信号と前記各設定値とを比較して灌流液容器の種類を判定し、判定結果に基づいて前記基準値を設定する、ことを特徴とする灌流液残量検知装置。
【請求項３】
請求項１又は２の灌流液残量検知装置を備えることを特徴とする灌流吸引装置。
【手続補正２】
【補正対象書類名】明細書
【補正対象項目名】０００６
【補正方法】変更
【補正の内容】
【０００６】
上記課題を解決するために、本発明は、以下のような構成を有することを特徴とする。
患者眼内に供給する灌流液を収める灌流液容器内の灌流液残量を検知する灌流液残量検知装置は、前記灌流液容器を保持する保持部と、灌流液を収容している前記灌流液容器の重量であって、前記保持部に保持された前記灌流液容器の重量を経時的に検知し、検知信号を発するセンサと、前記灌流液容器に収容されている灌流液残量に対応して設定された基準値を持ち、前記基準値と前記センサの検知信号とを比較する演算ユニットと、該演算ユニットの演算結果に基づいて灌流液残量を報知する報知ユニットと、を有する、ことを特徴とする。
【手続補正書】
【提出日】平成25年2月8日(2013.2.8)
【手続補正１】
【補正対象書類名】明細書
【補正対象項目名】０００４
【補正方法】変更
【補正の内容】
【０００４】
しかしながら、従来技術は以下のような課題がある。
（イ）乗員によって背もたれの角度に変化があっても衝突時の頸椎損傷防止上既設ヘッドレストと乗員頭部との間隙はほとんどない状態を保持することが重要である。
背もたれの角度は、乗員の体形や運転姿勢、好みなどにより異なり、ヘッドレストと頭部の間隙の大きさもそれに伴ってまちまちである。
背もたれの角度の違いによって生ずる頭部とヘッドレストとのまちまちな間隙を、乗車から発進までの極めて短い時間に瞬時に充足することは従来不可能であった。
従来技術として、頭部を保護しようとする実開平４−７９５４４号に係る「自動車用座席の補助枕」（特許文献１）や、実開平４−３６８６３号に係る「ヘッド・レストイントに使用される補助ピロー」（特許文献２）等は特定な形状をした専用枕であり、また、特開平８−４１７号に係る「ゴム製バンド付きミニ枕」（特許文献３）や、特開２０００−２０１７６６号に係る「自動車用枕」（特許文献４）等が知られているが、いずれも枕体の形体が一定であるため、乗員によりまちまちな間隙に合わせて瞬時に調節して充足することはできないという課題がある。
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の周回を開始させるべく操作される開始操作手段と、
役の抽選を行う抽選手段と、
前記各周回体の周回を個別に停止させるべく操作される複数の停止操作手段と、
前記役の抽選に当選した当選役と対応する当選絵柄が前記表示窓から視認できる有効位置に停止した場合、遊技者に特典を付与する特典付与手段と
を備えた遊技機において、
前記周回体の内周側に設けられ、少なくとも前記表示窓から視認可能な所定位置に位置する絵柄を当該絵柄の後面側から照射可能な照射手段と、
遊技状況を判断する遊技状況判断手段と、
前記遊技状況判断手段の判断結果に基づいて、前記照射手段の照射態様を変化させる照射態様変化手段と、
前記絵柄によって形成される特定絵柄の組合せが前記所定位置に停止した場合、前記遊技状況判断手段の判断結果に基づいて、特定特典を付与するか否かを決定する付与決定手段と
を備え、
前記照射態様変化手段を、前記付与決定手段が前記特定特典を付与すると決定する場合に前記照射手段を特定照射態様とするとともに、前記付与決定手段が前記特定特典を付与しないと決定する場合に前記照射手段を前記特定照射態様以外の照射態様とする構成とし、
前記各周回体のうち特定周回体の前記特定絵柄の組合せを形成する所定絵柄は、光透過性を有する特定領域を少なくとも一部に有し、前記照射手段が前記特定照射態様となった場合と、前記照射手段が前記特定照射態様以外の照射態様となった場合と、で識別情報が変化することを特徴とする遊技機。
【請求項２】
前記特定周回体には、第１層の内周側に、前記特定照射態様の色彩を透過させない一方で所定色彩を透過させる有色透明部材によって形成されるとともに前記特定特典を示唆する示唆情報を有する情報表示部材を、前記特定領域と対応する位置に設け、前記照射手段を、前記特定照射態様以外の照射態様で前記所定位置に位置する所定絵柄を照射する場合、前記所定色彩で照射する構成としたことを特徴とする請求項１に記載の遊技機。
【請求項３】
前記周回体の前方に設けられ、前記各周回体の前記表示窓から視認可能な範囲を照射可能な第２照射手段を備え、前記特定周回体には、少なくとも前記特定領域に前記第２照射手段の照射光を反射する反射層を設けたことを特徴とする請求項２に記載の遊技機。
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の周回を開始させるべく操作される開始操作手段と、
役の抽選を行う抽選手段と、
前記各周回体の周回を個別に停止させるべく操作される複数の停止操作手段と、
前記役の抽選に当選した当選役と対応する当選絵柄が前記表示窓から視認できる有効位置に停止した場合、遊技者に特典を付与する特典付与手段と
を備えた遊技機において、
前記周回体の内周側に設けられ、少なくとも前記表示窓から視認可能な所定位置に位置する絵柄を当該絵柄の後面側から照射可能な照射手段と、
前記照射手段の照射態様を変化させる照射態様変化手段と、
前記各周回体のうち第１周回体に付された第１絵柄と、第２周回体に付されるとともに前記第１絵柄と形状と色彩の少なくとも一方が異なる第２絵柄と、を含む特定絵柄の組合せが前記所定位置に停止したことに基づいて、特定特典を付与する特定特典付与手段と
を備え、
前記照射態様変化手段を、前記所定位置に前記特定絵柄の組合せが停止するとともに前記特定特典付与手段が前記特定特典を付与する場合、前記照射手段の照射態様を特定照射態様に変化させる構成とし、
前記第１周回体に付された第１絵柄と、前記第２周回体に付された第２絵柄と、は、光透過性を有する特定領域を少なくとも一部に有し、前記照射手段の照射態様が前記特定照射態様となった場合と、前記照射手段の照射態様が前記特定照射態様以外の照射態様となった場合と、で前記特定領域の識別情報が変化することを特徴とする遊技機。
【請求項２】
前記第１周回体及び前記第２周回体の内周側には、前記特定照射態様の色彩を透過させない一方で所定色彩を透過させる有色透明部材によって形成されるとともに前記特定特典を示唆する示唆情報を有する情報表示部材を、前記特定領域と対応する位置に設け、前記照射手段を、前記特定照射態様以外の照射態様で前記所定位置に位置する絵柄を照射する場合、前記所定色彩で照射する構成としたことを特徴とする請求項１に記載の遊技機。
【請求項３】
前記周回体の前方に設けられ、前記各周回体の前記表示窓から視認可能な範囲を照射可能な第２照射手段を備え、前記第１周回体及び前記第２周回体には、少なくとも前記特定領域に前記第２照射手段の照射光を反射する反射層を設けたことを特徴とする請求項２に記載の遊技機。
【請求項４】
前記照射手段の照射態様が前記特定照射態様となった場合、前記所定位置に位置する前記第１周回体に付された第１絵柄の特定領域と、前記所定位置に位置する前記第２周回体に付された第２絵柄の特定領域と、には、同一の特定識別情報が表示されることを特徴とする請求項１乃至請求項３のいずれかに記載の遊技機。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
連続シートへの印刷を印刷手段に実行させることが可能な印刷制御装置であって、
前記印刷手段で印刷させるための複数ページのデータを入力する入力手段と、
前記入力手段で入力された複数ページのデータを、連続シートの片面に印刷させるか、両面に印刷させるか判定する判定手段と、
前記印刷手段により、前記入力手段により入力された複数ページのデータを連続シートに印刷させる印刷制御手段と、を有し、
前記印刷制御手段は、
前記入力手段で入力された複数ページのデータを、連続シートの両面に印刷させる場合、連続シートの第１面に配置させるページの並び順と当該第１面とは反対の第２面に配置させるページの並び順を、降順とするか昇順とするかが逆となるように印刷させ、
前記判定手段により片面に印刷させると判定された場合の連続シートの第１面に配置させるページの並び順と前記判定手段により両面に印刷させると判定された場合の連続シートの第１面に配置させるページの並び順を、降順とするか昇順とするかが互いに逆となるように印刷させることを特徴とする印刷制御装置。
【請求項２】
前記印刷制御手段は、前記判定手段により片面に印刷させると判定された場合に連続シートの第１面に配置させるページの並び順と前記判定手段により両面に印刷させると判定された場合に前記連続シートの第２面に配置させるページの並び順を、降順とするか昇順とするかが同じとなるように印刷させることを特徴とする請求項１に記載の印刷制御装置。
【請求項３】
前記印刷制御手段は、前記判定手段により連続シートの両面に印刷させると判定された場合、前記入力手段により入力された複数ページのデータのうち、第１面に配置させるためのページを連続して印刷させた後、第２面に配置させるためのページのデータを連続して印刷させることを特徴とする請求項１または２に記載の印刷制御装置。
【請求項４】
前記印刷制御手段は、前記判定手段により両面に印刷させると判定された場合、連続シートの第１面へ印刷した後の第２面への印刷は、前記第１面において最後に印刷したページに対応するページ側から印刷させることを特徴とする請求項３に記載の印刷制御装置。
【請求項５】
前記印刷制御手段は、連続シートの片面に印刷させる場合、前記入力手段により入力された複数ページのデータの入力順と連続シートの第１面へのページの印刷順を、降順とするか昇順とするかが同じとなるように印刷させ、連続シートの両面に印刷させる場合、前記入力手段により入力された複数ページのデータの入力順と連続シートの第１面へのページの印刷順を、降順とするか昇順とするかが逆となるように印刷させることを特徴とする請求項１〜４のいずれか１項に記載の印刷制御装置。
【請求項６】
前記印刷制御手段は、前記判定手段により片面に印刷させると判定された場合の連続シートの第１面に配置させるページの並び順が昇順となるように印刷させ、前記判定手段により両面に印刷させると判定された場合の連続シートの第１面に配置させるページの並び順を降順となるように印刷させることを特徴とする請求項１〜５のいずれか１項に記載の印刷制御装置。
【請求項７】
前記印刷制御手段により印刷されたシートを切断装置により切断させる切断制御手段と、
前記切断制御手段により切断されたシートを排出する排出手段と、をさらに有することを特徴とする請求項１〜６のいずれか１項に記載の印刷制御装置。
【請求項８】
前記切断制御手段は、前記判定手段により片面に印刷させると判定された場合、前記切断装置に所定単位で印刷済みの連続シートの切断を行わせ、両面に印刷させると判定された場合、前記切断装置に連続シートの第１面への印刷の際は所定単位での切断を行わせず、第２面への印刷の際に所定単位での切断を行わせることを特徴とする請求項７に記載の印刷制御装置。
【請求項９】
前記切断制御手段は、前記判定手段により連続シートの両面に印刷させると判定された場合、連続シートの第１面に配置すべきページの印刷終了後に、当該連続シートの第１面の終端で切断するように制御することを特徴とする請求項７又は８に記載の印刷制御装置。
【請求項１０】
前記排出手段にシートを排出する際、フェイスアップとするかフェイスダウンとするかを設定する設定手段を有し、
前記印刷制御手段は、前記設定手段によりフェイスアップとするよう設定されている場合とフェイスダウンとするよう設定されている場合とで、並び順を逆にすることを特徴とする請求項１〜９のいずれか１項に記載の印刷制御装置。
【請求項１１】
連続シートへの印刷を行うための印刷制御方法であって、
複数ページのデータを連続シートに印刷させる際、連続シートの片面に印刷させるか、両面に印刷させるか判定する判定工程と、
複数ページのデータを連続シートに印刷する印刷工程と、を有し、
前記印刷工程では、
前記入力手段で入力された複数ページのデータを、連続シートの両面に印刷させる場合、連続シートの第１面に配置させるページの並び順と当該第１面とは反対の第２面に配置させるページの並び順を、降順とするか昇順とするかが逆となるように印刷させ、
前記判定工程において片面に印刷させると判定された場合の連続シートの第１面に配置させるページの並び順と両面に印刷させると判定された場合の連続シートの第１面に配置させるページの並び順とを、降順とするか昇順とするかが互いに逆となるように印刷させることを特徴とする印刷制御方法。
【請求項１２】
請求項１〜１０のいずれか１項に記載の印刷制御装置の各手段または請求項１１に記載の印刷制御方法をコンピュータにより実現することを特徴とするプログラム。
【手続補正２】
【補正対象書類名】明細書
【補正対象項目名】０００７
【補正方法】変更
【補正の内容】
【０００７】
上記課題を解決するため、本発明の印刷制御装置は、連続シートへの印刷を印刷手段に実行させることが可能な印刷制御装置であって、前記印刷手段で印刷させるための複数ページのデータを入力する入力手段と、前記入力手段で入力された複数ページのデータを、連続シートの片面に印刷させるか、両面に印刷させるか判定する判定手段と、前記印刷手段により、前記入力手段により入力された複数ページのデータを連続シートに印刷させる印刷制御手段と、を有し、前記印刷制御手段は、前記入力手段で入力された複数ページのデータを、連続シートの両面に印刷させる場合、連続シートの第１面に配置させるページの並び順と当該第１面とは反対の第２面に配置させるページの並び順を、降順とするか昇順とするかが逆となるように印刷させ、前記判定手段により片面に印刷させると判定された場合の連続シートの第１面に配置させるページの並び順と前記判定手段により両面に印刷させると判定された場合の連続シートの第１面に配置させるページの並び順を、降順とするか昇順とするかが互いに逆となるように印刷させる。
【手続補正３】
【補正対象書類名】明細書
【補正対象項目名】０００８
【補正方法】削除
【補正の内容】
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
段ボール又は厚紙製の背板に、該背板を折り曲げ及び切断可能なミシン目が縦方向に縦断するように設けられており、該ミシン目を境とした両側の背板にフック取り付け部が設けられていることを特徴とする吊り下げ型商品展示装置。
【請求項２】
前記背板が２枚の板を帯状の接続部材で貼り合わせたものであり、前記ミシン目が前記接続部材に設けられていることを特徴とする請求項１に記載の吊り下げ型商品展示装置。
【請求項３】
前記ミシン目が平行に２列設けられていることを特徴とする請求項１又は２に記載の吊り下げ型商品展示装置。
【請求項４】
前記２列のミシン目が、前記縦方向の切れ目と、該縦方向の切れ目から該２列のミシン目の間に向かって延びる斜めの切れ目から成るものであることを特徴とする請求項３に記載の吊り下げ型商品展示装置。
【請求項５】
更に、段ボール又は厚紙から成り、伸ばした状態、あるいは折り曲げた状態の前記背板の上端部の形状と略同形状の溝を有する袋状の固定具を備えることを特徴とする請求項１〜４のいずれかに記載の吊り下げ型商品展示装置。
【請求項６】
前記背板が、被展示物を掛ける棒状部の基部に係合部を有するフックの該基部を挿入する挿入孔を有すると共に、
前記背板の前記挿入孔の近傍に、該挿入孔の縁に平行な軸の周りに回動可能な回動片部を有する
ことを特徴とする請求項１〜５のいずれかに記載の吊り下げ型商品展示装置。
【請求項７】
前記背板に、プラスチックネジホックを取り付けるための孔が設けられており、その周囲に、周切れ目と、前記孔と該周切れ目を接続する縦切れ目とから成る、プラスチックネジホック取り外し構造が設けられていることを特徴とする請求項１〜６のいずれかに記載の吊り下げ型商品展示装置。
【手続補正２】
【補正対象書類名】明細書
【補正対象項目名】００１３
【補正方法】変更
【補正の内容】
【００１３】
本発明に係る吊り下げ型商品展示装置は、前記フック取り付け部が背板に設けられた穴であり、その穴に隣接して、その穴の縁の一部に沿った接続部（つなぎ部）を残してループ状に設けられたミシン目により囲まれた押し込み片を有するものとすることができる。この構成によれば、フックを取り外す際、この押し込み片を強く押し込むことにより、押し込み片がつなぎ部を軸として回動し、フックを背板から容易に取り外すことができるようになる。これにより、背板とフックを分別して廃棄することが容易となる。
【手続補正３】
【補正対象書類名】明細書
【補正対象項目名】００３３
【補正方法】変更
【補正の内容】
【００３３】
このような構造のホック取付孔２３にプラスチックネジホック２２の雄ねじ部２２１と雌ねじ部２２２を両側から押し込むことにより、第１背板１１Ａと第１補強部材１４Ａ、及び、第２背板１１Ｂと第２補強部材１４Ｂを固定する。そして、本実施例の吊り下げ型商品展示装置１０を廃棄する際には、プラスチックネジホック２２のネジを回転することなく、一方の側からプラスチックネジホック２２を他方の側に押し込むことにより、プラスチックネジホック２２が周切れ目２３１と縦切れ目２３２を突き破り、取り外すことができるようになる。これにより、厚紙製の背板１１と、プラスチック製であるプラスチックネジホック２２を容易に分別することができる。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
２層の基材層間にガス除去粒子を挟み込んでなる複合濾材であって、少なくとも１層の基材層がエレクトレットメルトブロー不織布シートであり、前記エレクトレットメルトブロー不織布シートの２％伸張時応力のタテ方向またはヨコ方向の大きい方の値が０．０３〜０．４ＭＰａであることを特徴とする複合濾材。
【請求項２】
エレクトレットメルトブロー不織布シートの平均繊維径が１．５〜４．０μｍ、目付が１０〜５０ｇ／ｍ2であることを特徴とする請求項１記載の複合濾材。
【請求項３】
ガス除去粒子が、平均粒子径が１５０〜２６０μｍの活性炭を少なくとも含むものであることを特徴とする請求項１または２記載の複合濾材。
【請求項４】
請求項１に記載の複合濾材の厚みの平均値が０．６〜０．８ｍｍであり、かつ厚みのバラツキが３％以内であることを特徴とする請求項１〜３いずれかに記載の複合濾材。
【請求項５】
請求項１〜４いずれかに記載の複合濾材を用いたことを特徴とするエアフィルターユニット。
【請求項６】
請求項１〜４いずれかに記載の複合濾材をプリーツ加工し、その周囲を枠体で画設したことを特徴とする空気清浄機用エアフィルターユニット。
【手続補正２】
【補正対象書類名】明細書
【補正対象項目名】０００９
【補正方法】変更
【補正の内容】
【０００９】
（２）上記のエレクトレットメルトブロー不織布シートの平均繊維径が１．５〜４．０μｍ、目付が１０〜５０ｇ／ｍ2であることを特徴とする複合濾材。
【手続補正３】
【補正対象書類名】明細書
【補正対象項目名】００１０
【補正方法】変更
【補正の内容】
【００１０】
（３）上記のガス除去粒子が、平均粒子径が１５０〜２６０μｍの活性炭であることを特徴とする複合濾材。
【手続補正４】
【補正対象書類名】明細書
【補正対象項目名】００２０
【補正方法】変更
【補正の内容】
【００２０】
上記と繊維径と同じ目的においてエレクトレット不織布シートの目付は１０〜５０ｇ／ｍ2が好ましく、より好ましくは１５〜４０ｇ／ｍ2である。目付が高すぎると複合濾材の厚みが増しフィルター圧損を上げる傾向にある。逆に低いと、捕集効率の低下が起こる傾向がある。
【手続補正書】
【提出日】平成25年2月14日(2013.2.14)
【手続補正１】
【補正対象書類名】明細書
【補正対象項目名】００１６
【補正方法】変更
【補正の内容】
【００１６】
本発明による実施例では、区画線９は、前端縁２Ｆに向け拡開するＵ字状曲線部分９Ｆと、後端縁２Ｂに向け拡開するＵ字状曲線部分９Ｂと、カバーシート８のほぼ中央においてこれら曲線部分９Ｆ，９Ｂの頂点を互いに結ぶ直線部分９Ｓとから構成される。その結果、中央領域８Ｃには、４つのフラップ、すなわち半長円状の前フラップ１０Ｆ及び後フラップ１０Ｂと、台形状の左フラップ１０Ｌ及び右フラップ１０Ｒとが区画される。ここで、前フラップ１０Ｆ及び後フラップ１０Ｂは互いに対称的に位置しており、左フラップ１０Ｌ及び右フラップ１０Ｒは互いに対称的に位置している。
【手続補正２】
【補正対象書類名】明細書
【補正対象項目名】００３７
【補正方法】変更
【補正の内容】
【００３７】
次いで、被包装状態ナプキン１Ｒが包装材によって包装され、個包装体１Ｗが形成される。
【手続補正３】
【補正対象書類名】明細書
【補正対象項目名】００５３
【補正方法】変更
【補正の内容】
【００５３】
このようにすると、個包装体１Ｗの製造工程を簡素化することができる。また、ナプキン１に折り目が形成されないので、ナプキン１と装着者との間に隙間が形成されるのを抑制することができる。
【手続補正４】
【補正対象書類名】図面
【補正対象項目名】図５
【補正方法】変更
【補正の内容】
【図５】
2011212288.tif 000001
【手続補正書】
【提出日】平成25年2月27日(2013.2.27)
【手続補正１】
【補正対象書類名】明細書
【補正対象項目名】０００９
【補正方法】変更
【補正の内容】
【０００９】
本発明の実施態様の一つとして、前記クロッチ本体が前記クロッチ域から前記前後ウエスト域へ延びる一対のサイド弾性部を有し、前記着用物品の着用状態において、前記弾性ウエストパネルがウエスト回り方向に伸長されることによって、前記一対のサイド弾性部どうしの離間寸法が大きくなる。
【手続補正２】
【補正対象書類名】明細書
【補正対象項目名】００１１
【補正方法】変更
【補正の内容】
【００１１】
本発明の他の実施態様の一つとして、前記分離部位が、前記縦方向へ延びるスリットである。
【手続補正３】
【補正対象書類名】明細書
【補正対象項目名】００２２
【補正方法】変更
【補正の内容】
【００２２】
前ウエストパネル１６は、肌対向面に位置する第１内面シート２５と、非肌対向面に位置する第１外面シート２６とを有する。第１内面シート２５と第１外面シート２６とは、質量が１５〜３０ｇ／ｍ２の不透液性のＳＭＳ（スパンボンド・メルトブローン・スパンボンド）繊維不織布またはスパンボンド繊維不織布、若しくは、プラスチックシートやそれらのラミネートシートから形成されている。両シート２５，２６は、少なくともいずれか一方のシートの内面に塗布されたホットメルト接着剤（図示せず）を介して接合されている。また、第１内面シート２５と第１外面シート２６との間には、横方向Ｘに延びる複数条のストランド状又はストリング状からなる前ウエスト弾性要素２７が、ホットメルト接着剤（図示せず）を介して横方向Ｘにおいて収縮可能に配設されており、前ウエストパネル１６は、少なくとも横方向Ｘにおいて弾性化されている。なお、第１内面シート２５と第１外面シート２６とは、前ウエスト弾性要素２７を構成する各弾性要素に塗布したホットメルト接着剤を介してのみ互いに接合されていてもよい。
【手続補正４】
【補正対象書類名】明細書
【補正対象項目名】００２３
【補正方法】変更
【補正の内容】
【００２３】
後ウエストパネル１７は、肌対向面に位置する第２内面シート２９と、非肌対向面に位置する第２外面シート３０とを有する。第２内面シート２９と第２外面シート３０とは、質量が１０〜３０ｇ／ｍ２の不透液性のＳＭＳ繊維不織布またはスパンボンド繊維不織布、若しくは、プラスチックシートやそれらのラミネートシートから形成されている。両シート２９，３０は、少なくともいずれか一方のシートの内面に塗布されたホットメルト接着剤（図示せず）を介して接合されている。また、第２内面シート２９と第２外面シート３０との間には、横方向Ｘに延びる複数条のストランド状又はストリング状からなる後ウエスト弾性要素３１が、ホットメルト接着剤（図示せず）を介して横方向Ｘにおいて収縮可能に配設されており、後ウエストパネル１７は、少なくとも横方向Ｘにおいて弾性化されている。なお、第２内面シート２９と第２外面シート３０とは、後ウエスト弾性要素３１を構成する各弾性要素に塗布したホットメルト接着剤を介してのみ互いに接合されていてもよい。
【手続補正５】
【補正対象書類名】明細書
【補正対象項目名】００２４
【補正方法】変更
【補正の内容】
【００２４】
クロッチ本体１２は、略矩形状であって、前ウエストパネル１６の非肌対向面に取り付けられた前端部３５と、後ウエストパネル１７の非肌対向面に取り付けられた後端部３６と、前後端部３５，３６間において縦方向Ｙへ延びる中間部３７と、不透液性の内外面クロッチシート３８，３９と、内面クロッチシート３８の肌対向面に配置された吸液性構造体４０とを有する。内外面クロッチシート３８，３９は、両シート３８，３９のうちのいずれか一方のシートの内面に塗布されたホットメルト接着剤（図示せず）を介して互いに接合されており、それらの両側部は、内方へ折り曲げられ、吸液性構造体４０の内面において縦方向Ｙへ延びる一対のサイド弾性部４１が形成されている。吸液性構造体４０は、高吸収性ポリマー粒子とフラッフパルプとの混合または高吸収性ポリマー粒子のみから形成された、前記各シートに比して剛性が高い半剛性の吸収性コアを透液性シートで被包することによって形成されている。
【手続補正６】
【補正対象書類名】明細書
【補正対象項目名】００３０
【補正方法】変更
【補正の内容】
【００３０】
図５（ａ）に示すとおり、後ウエストパネル１７は、横方向Ｘへ延びる複数条の後ウエスト弾性要素３１が収縮可能に配設されているので、横方向Ｘに弾性化されている。図５（ｂ）に示すとおり、おむつ１０の着用状態において、弾性ウエストパネル１１がウエスト回り方向に伸長されたとき、すなわち、後ウエストパネル１７が横方向Ｘに伸長された状態では、後ウエストパネル１７の両側縁はサイドシール部２０によって固定されているので、サイドシール部２０と分離部位１９との間に位置する後ウエスト弾性要素３１が伸長されることによって、分離部位１９が横方向Ｘへ広がって略三角形状の開口が形成される。なお、図示してないが、分離部位１９の両側において横方向Ｘに延びる複数条の後ウエスト弾性要素３１は、分離部位１９近傍において固定せず、該非固定要素を切断してカットバックさせることによって配設してもよい。
【手続補正書】
【提出日】平成25年2月14日(2013.2.14)
【手続補正１】
【補正対象書類名】明細書
【補正対象項目名】００３５
【補正方法】変更
【補正の内容】
【００３５】
同様に、左折り曲げ領域１４Ｌ及び右折り曲げ領域１４Ｒは互いに隣接する末端９ＦＥ，９ＢＥを結ぶ直線上に位置し、図３に示されるように吸収体５の左端縁５Ｌ及び右端縁５Ｒよりも横断方向外側に位置する。その結果、吸収性本体２の左端縁２Ｌと吸収体５の左端縁５Ｌとの間、吸収性本体２の右端縁２Ｒと吸収体５の右端縁５Ｒとの間にそれぞれ受容溝１５Ｌ，１５Ｒが形成される。したがって、左折り曲げ領域１４Ｌ周り及び右折り曲げ領域１４Ｒ周りにおいても液漏れの発生が抑制される。